(57)【特許請求の範囲】
【請求項１】
給水路からの水をバーナの燃焼により加熱して浴槽内に供給する熱交換器を有する給湯器と、
前記浴槽内の湯水の目標温度を設定する温度設定手段と、
前記浴槽内の湯水の温度を検出する温度検出手段と、
前記浴槽内の湯水の温度を前記目標温度にキープする適温キープ運転を指令する保温スイッチと、
前記給湯器を制御する給湯制御手段とが設けられ、
前記給湯制御手段が、前記適温キープ運転が指令された状態において、前記温度検出手段による検出温度、および、前記温度設定手段により設定された目標温度とに基づいて、前記浴槽内の湯水の温度を目標温度にするように、前記給湯器から前記浴槽内に湯を供給する追焚き給湯を実行するように構成されている風呂用給湯装置であって、
前記浴槽内に所定水位の湯水が存在するか否かを検出する湯水検出手段が設けられ、
前記給湯制御手段が、
設定時間毎に前記湯水検出手段により前記浴槽内に湯水が存在するか否かを検出する気液判別制御を実行するように構成され、
前記適温キープ運転の実行が指令された状態において、前記気液判別制御により湯水の不存在が検出されたときには、前記追焚き給湯を実行しないように構成され、且つ、前記気液判別制御により湯水の不存在が検出されて前記追焚き給湯の実行を停止している状態のときに、前記気液判別制御により湯水の存在が検出されると、前記追焚き給湯の実行を開始するように構成され、並びに、
前記適温キープ運転の実行が指令された状態において、前記気液判別制御により連続して設定回数以上、湯水の不存在が検出されると、それ以後においては前記追焚き給湯の実行を停止し、且つ、前記気液判別制御の実行を停止するように構成されている風呂用給湯装置。
【請求項２】
前記湯水検出手段としてのサーミスタが浴槽に設置される状態で設けられ、
前記給湯制御手段が、前記気液判別制御として、前記サーミスタに通電して自己発熱させて、その際の前記サーミスタの抵抗値の変化に基づいて、前記浴槽内に所定水位の湯水が存在するか否かを検出するように構成されている請求項１記載の風呂用給湯装置。
【発明の詳細な説明】
【０００１】
【発明の属する技術分野】
本発明は、給水路からの水をバーナの燃焼により加熱して浴槽内に供給する熱交換器を有する給湯器と、
前記浴槽内の湯水の目標温度を設定する温度設定手段と、
前記浴槽内の湯水の温度を検出する温度検出手段と、
前記浴槽内の湯水の温度を前記目標温度にキープする適温キープ運転を指令する保温スイッチと、
前記給湯器を制御する給湯制御手段とが設けられ、
前記給湯制御手段が、前記適温キープ運転が指令された状態において、前記温度検出手段による検出温度、および、前記温度設定手段により設定された目標温度とに基づいて、前記浴槽内の湯水の温度を目標温度にするように、前記給湯器から前記浴槽内に湯を供給する追焚き給湯を実行するように構成されている風呂用給湯装置に関する。
【０００２】
【従来の技術】
上記のような風呂用給湯装置では、従来、適温指令手段により適温キープ運転が指令された状態において、浴槽内の湯水の存否にかかわらず、温度検出手段による検出温度、および、温度設定手段により設定された目標温度とに基づいて、浴槽内の湯水の温度を目標温度にするように、追焚き給湯を実行するようにしていた。
【０００３】
【発明が解決しようとする課題】
したがって、従来のものでは、例えば、浴槽の栓が抜かれたりして浴槽内に所定水位の湯水が存在しないときにも、追焚き給湯を実行することになり、追焚き用の湯を無駄にする虞れがあった。
【０００４】
そこで、本発明は、かかる点に着目してなされたものであり、その目的は、浴槽内への無駄な湯の供給を防止しながら、浴槽内の湯水の温度を極力目標温度に維持することが可能となる風呂用給湯装置を提供する点にある。
【０００５】
【課題を解決するための手段】
この目的を達成するために、請求項１に記載の発明によれば、浴槽内に所定水位の湯水が存在するか否かを検出する湯水検出手段が設けられ、給湯制御手段が、適温キープ運転の実行が指令された状態において、湯水検出手段により湯水の不存在が検出されたときには、追焚き給湯を実行しないように構成されている。
つまり、浴槽内の栓が抜かれたりして浴槽内に所定水位の湯水が存在しないときには、追焚き給湯が実行されないようにして、浴槽内への無駄な湯の供給を防止し、かつ、浴槽内に所定水位の湯水が存在するときには、追焚き給湯を実行して、浴槽内の湯水の温度を極力目標温度に維持することが可能となる。
【０００６】
又、請求項１に記載の発明によれば、給湯制御手段が、適温キープ運転の実行が指令された状態において、湯水検出手段により湯水の不存在が検出されて、追焚き給湯の実行を停止している状態のときに、湯水検出手段により湯水の存在が検出されると、追焚き給湯の実行を開始するように構成されている。
したがって、たとえ湯水検出手段により誤って湯水の不存在を検出されても、その後に湯水の存在が検出されると、追焚き給湯の実行を開始するので、浴槽内に所定水位の湯水が存在する場合には、確実に追焚き給湯を実行することができ、浴槽内の湯水の温度を極力目標温度に維持することが可能となる。
【０００７】
又、請求項１に記載の発明によれば、設定時間毎に浴槽内に湯水が存在するか否かを検出するように構成され、給湯制御手段が、適温キープ運転の実行が指令された状態において、湯水検出手段が、連続して設定回数以上、湯水の不存在を検出すると、それ以後においては追焚き給湯の実行を停止するように構成されている。
したがって、上述のように、湯水検出手段による誤検出を防止しながら、浴槽内に所定水位の湯水が存在しない場合には、湯水検出手段による無駄な検出作動を回避して、追焚き給湯の実行を的確に停止させることが可能となる。
【０００８】
請求項２に記載の発明によれば、浴槽に設置されたサーミスタに通電して自己発熱させて、その際のサーミスタの抵抗値の変化に基づいて、浴槽内に所定水位の湯水が存在するか否かを検出するように構成されている。
したがって、サーミスタの抵抗値が温度によって変化することを利用して、浴槽内の湯水の温度と浴槽内に所定水位の湯水が存在するか否かを確実に検出することが可能となる。
【０００９】
【発明の実施の形態】
この風呂用給湯装置は、図１に示すように、給水路１から供給される水を加熱しながら給湯路２に供給するためのフィンチューブ型の熱交換器３と、この熱交換器３を加熱するためのガスバーナ４などを有する給湯器Ａから構成され、前記給水路１には、通水量を検出する通水量センサ５と入水温度を検出する入水温サーミスタ６とが設けられ、給湯路２には、給湯温を検出する給湯温サーミスタ７が設けられている。
【００１０】
前記給湯路２には、熱交換器３による加熱後の湯水を浴槽８へ給湯して湯張りするための湯張り路９が連通され、この湯張り路９の他端が浴槽８内に連通接続されていて、その開口部の前面には、バスアダプタ１０が取り付けられている。そして、このバスアダプタ１０の内側には、浴槽８内の湯水の温度を検出し、かつ、浴槽８内に所定水位の湯水が存在するか否かを検出する浴槽温サーミスタ２３が設けられている。つまり、この浴槽温サーミスタ２３が、温度検出手段と湯水検出手段とを兼用するように構成されている。
【００１１】
また、給湯路２には、湯張り路９の一部を共用する状態で、カランやシャワーなどの一般の給湯栓１１が設けられている一般給湯路１２が連通接続され、この一般給湯路１２と湯張り路９との共用部分には、上流側から逆止弁１３、電磁式の水比例弁１４、ミキシングサーミスタ１５とが設けられ、一般給湯路１２には、割込みセンサ１６が設けられ、湯張り路９には、電磁式の湯張り弁１７とバキュームブレーカ１８が設けられている。
【００１２】
前記一般給湯路１２と湯張り路９との共用部分のうち、逆止弁１３と水比例弁１４との間の箇所には、給水路１に連通接続のバイパス路１９が接続され、その接続箇所に電磁式のミキシング弁２０が設けられている。
さらに、前記給湯路２には、追焚き路２１が連通接続され、この追焚き路２１の他端が湯張り弁１７よりも下流で、かつ、バキュームブレーカ１８よりも上流の湯張り路９に接続されている。
つまり、追焚き給湯用の高温の湯を供給する追焚き路２１が、湯張り路９の一部を共用する状態で浴槽８に連通接続され、かつ、追焚き路２１には、電磁式の追焚き弁２２が設けられている。
【００１３】
前記ガスバーナ４には、燃料ガスを供給するための燃料ガス供給路２４が接続され、この燃料ガス供給路２４には、燃料ガスの供給を断続する電磁式の断続弁２５、ガバナ付きの電磁式比例弁２６、ならびに、同じく電磁式の安全弁２７とが設けられ、ガスバーナ４に点火動作をするイグナイタ２８、着火を確認するフレームロッド２９、ならびに、ガスバーナ４に燃焼用の一次空気および二次空気を供給するとともに、冷却用の空気を供給するファン３０も設けられている。
【００１４】
そして、このような風呂用給湯装置は、その作動が給湯制御手段としての制御部Ｈによって制御されるように構成され、この制御部Ｈは、マイクロコンピュータＭおよびその周辺回路を備えて構成され、この制御部Ｈに制御指令を与えるメインリモコンＲ１と風呂リモコンＲ２とが無線あるいは有線で接続されている。
前記メインリモコンＲ１には、給湯の開始および停止を指示する運転スイッチ３１、浴槽８への湯張り運転を指令する湯はりスイッチ３２、一般給湯温度を設定する温度設定スイッチ３３などが備えられている。
そして、前記風呂リモコンＲ２には、図２に示すように、運転スイッチ３４、湯はりスイッチ３５、たし湯運転を指令するたし湯スイッチ３６、ぬるく運転を指令するぬるくスイッチ３７、あつく運転を指令するあつくスイッチ３８、適温キープ運転を指令する適温指令手段としての保温スイッチ３９、湯張り設定温度を設定する温度設定手段としての温度設定スイッチ４０などが備えられている。
【００１５】
前記制御部Ｈは、給湯栓１１に給湯する一般給湯運転や、メインリモコンＲ１や風呂リモコンＲ２からの制御指令に伴って浴槽８内に湯水が存在するか否かを判別する気液判別制御を実行し、浴槽８内に所定水位の湯水が存在するときのみ、メインリモコンＲ１や風呂リモコンＲ２からの制御指令に基づいて湯張り運転以外の各運転を実行するように構成されている。
そして、適温キープ運転が指令された状態においては、気液判別用設定時間  （例えば、１分間）毎に気液判別制御を実行し、浴槽８内に所定水位の湯水が存在するときのみ追焚き給湯を実行し、連続して設定回数（例えば、３回）以上、湯水の不存在が検出されると、それ以後においては、追焚き給湯の実行を停止するように構成されている。
【００１６】
このようにして、適温キープ運転が指令された状態において、浴槽８内に所定水位の湯水が存在するときのみ、追焚き給湯を実行して浴槽８内への湯の供給を行うので、浴槽８内への無駄な湯の供給を防止しながら、浴槽８内の湯水の温度を極力目標温度に維持することが可能となる。
【００１７】
前記気液判別制御について説明すると、前記浴槽温サーミスタ２３は、電気抵抗値が温度によって変化する可変抵抗素子である点を利用して、浴槽８内に所定水位の湯水が存在するか否かを判別する。つまり、浴槽温サーミスタ２３に対して自己加熱させるべく加熱用の電力を供給するとともに、浴槽温サーミスタ２３の温度変化による可変抵抗値に基づいて、その周囲の温度を検出するようにして、さらに、浴槽温サーミスタ２３の個体温度を設定温度まで上昇させて、設定時間が経過する間、その設定温度に維持した後に電力供給を停止した後において、浴槽温サーミスタ２３の個体温度の時間経過に伴う変化状態を測定し、その測定結果に基づいて、浴槽温サーミスタ２３が液体中にあるか気体中にあるか、すなわち、浴槽８内に湯水が存在しているか否かを判別するように構成されている。
【００１８】
詳述すると、図３に示すように、浴槽温サーミスタ２３に対して、加熱用直流電源２００（約３０Ｖ）からの自己加熱用の電力をスイッチングトランジスタ２０１を介して間欠的に供給する電力供給部２０２と、自己加熱用の電力が供給されていない状態で加熱用電力における電圧よりも低い測定用直流電源２０３（約５Ｖ）が印加された状態で浴槽温サーミスタ２３の抵抗値（温度により変化する）に対応する出力電圧を検出するための温度検出用回路２０４とが、マイクロコンピュータＭの外付け回路として備えられている。
【００１９】
そして、マイクロコンピュータＭには、出力電圧に基づいて浴槽温サーミスタ２３が存在する領域、つまり、浴槽８の内部の温度を検出する温度検出部１００、この温度検出部１００の検出情報に基づいて、浴槽温サーミスタ２３の個体温度を設定温度まで上昇させて、設定時間が経過する間その設定温度に維持させる定温加熱制御を実行し、かつ、設定時間が経過すると定温加熱制御による電力供給を停止すべく、電力供給部２０２による電力供給状態を制御する電力制御部１０１、定温加熱制御による電力供給が停止された後において、浴槽温サーミスタ２３の個体温度の時間経過に伴う変化状態を測定する温度変化測定部１０２、この温度変化測定部１０２の測定結果に基づいて、浴槽温サーミスタ２３が液体中にあるか気体中にあるかを判別する気液判定部１０３のそれぞれが備えられている。
【００２０】
前記電力供給部２０２は、加熱用直流電源２００からの電力を、制御部Ｈからのパルス信号に基づいて間欠的にＯＮ／ＯＦＦするスイッチングトランジスタ２０１を介して浴槽温サーミスタ２３に供給するように構成され、パルス信号のデューティ比を変更調節することで加熱用電力を変更調節するように構成されている。なお、スイッチング回路２０５は、マイクロコンピュータＭからのパルス信号にて断続する保護抵抗付きのトランジスタを含む回路である。
【００２１】
前記温度検出用回路２０４は、温度検出時に浴槽温サーミスタ２３の抵抗値を検出するための電流を測定用直流電源２０３から供給するための負荷抵抗２０６が備えられ、この負荷抵抗２０６と浴槽温サーミスタ２３との接続点Ｎ１における測定電圧が入力されるマイクロコンピュータＭの入力端子Ｎ２に対して、加熱用直流電源２００からの高電圧が印加されることを保護するための保護抵抗２０７および保護ダイオード２０８，２０９が備えられている。
【００２２】
つまり、スイッチングトランジスタ２０１がＯＮしている時は、浴槽温サーミスタ２３に加熱用直流電源２００の電力が供給され、同時に前記接続点Ｎ１に高電圧が印加され、測定用直流電源２０３との間に、負荷抵抗２０６を経由するものと、保護抵抗２０７および一方の保護ダイオード２０８を経由する二つの電流経路が形成される。
この保護ダイオード２０８の順方向の抵抗値が保護抵抗２０７に比べて充分低く、かつ、接触電位の低いショットキーバリアダイオードを使用しているので、マイクロコンピュータＭに対する入力端子Ｎ２は約５Ｖ近い電位に維持されて保護回路として機能するように構成されている。なお、ノイズ除去用のコンデンサ２１０も備えられている。
【００２３】
また、スイッチングトランジスタ２０１がＯＦＦしている時には、前記負荷抵抗２０６と浴槽温サーミスタ２３で分圧された出力電圧が前記接続点Ｎ１に出力されるが、この出力電圧は５Ｖ以下であるため、保護ダイオード２０８は逆バイアス状態であり保護ダイオード２０８にはマイクロコンピュータＭの入力端子Ｎ２の入力リーク電流相当の微小電流が流れるだけで接続点Ｎ１と入力端子Ｎ２の電圧レベルはほぼ等しくなる。
【００２４】
前記温度検出部１００は、温度検出時（スイッチングトランジスタ２０１がＯＦＦしている時）に、前記入力端子Ｎ２の電圧値をアナログ・ディジタル（Ａ／Ｄ）変換して、変換後の電圧値に基づいて浴槽温サーミスタ２３の個体温度を演算するように構成されている。
【００２５】
前記電力制御部１０１は、スイッチング回路２０５を断続的にＯＮ／ＯＦＦさせる一定周期の制御パルス信号を出力し、電力供給部２０２から浴槽温サーミスタ２３への電力供給量を調節するように構成され、前記温度検出部１００の検出情報に基づいて、浴槽温サーミスタ２３の個体温度を加熱目標温度（設定温度）まで上昇させて、設定時間（約３秒間）が経過する間その設定温度に維持させる定温加熱制御を実行し、かつ、前記設定時間が経過すると前記定温加熱制御による電力供給を停止すべく、電力供給部２０２による電力供給状態を制御するように構成されている。
具体的には、温度検出部１００の検出情報に基づいて、制御パルス信号のデューティ比をフィードバック制御することで、前記定温加熱制御を実行するように構成されている。
【００２６】
前記温度変化測定部１０２は、前記定温加熱制御による前記電力供給が停止された後において、浴槽温サーミスタ２３の個体温度の時間経過に伴う変化状態、具体的には、前記温度検出部１００の検出値が設定温度未満になった時点から設定経過時間（約４秒間）が経過した時点における温度検出部１００の検出値（浴槽温サーミスタ２３の個体温度）を測定するように構成されている。
【００２７】
また、前記気液判定部１０３は、前記温度変化測定部１０２による検出情報  （温度検出部１００の検出値）が気液判定用の閾値以下であれば液体である（浴槽８内に湯水が存在している状態）と判別し、閾値を上回っていれば気体である（浴槽８内に湯水が存在していない状態）と判別するように構成されている。
【００２８】
次に、前記制御部Ｈの制御動作について、図４および図５のフローチャートに基づいて説明する。
まず、メインリモコンＲ１の運転スイッチ３１か、風呂リモコンＲ２の運転スイッチ３４がＯＮされている状態において、給湯栓１１の開操作に伴って通水量センサ５が熱交換器３への通水を検知して一般給湯運転が指令されると、一般給湯モードとなり一般給湯運転を実行する（ステップ１，２）。
【００２９】
つまり、ファン３０を回転駆動させ、安全弁２７を開弁するとともに、断続弁２５を開弁し、かつ、電磁式比例弁２６を緩点火位置にセットして、イグナイタ２８によって点火して、フレームロッド２９により着火を確認する。
その際、通水量センサ５による検出水量と入水温サーミスタ６による検出水温に基づいて、メインリモコンＲ１の温度設定スイッチ３３による設定温度から必要なガス量を演算し、電磁式比例弁２６の開度を調整するとともに、ミキシング弁２０の開度とファン３０の回転数も調整する。
このようにして、給水路１からの水は、その一部が熱交換器３によって加熱されてバイパス路１９からの水と混合され、給湯栓１１から吐出されるのであり、さらに、ミキシングサーミスタ１５による検出温度が設定温度になるように、電磁式比例弁２６の開度やミキシング弁２０の開度を微調整し、ガスバーナ４を最大限に燃焼させても、ミキシングサーミスタ１５による検出温度が設定温度に足りない場合には、水比例弁１４を絞ることによって設定温度になるように制御する。
【００３０】
また、メインリモコンＲ１の運転スイッチ３１か、風呂リモコンＲ２の運転スイッチ３４がＯＮされている状態において、メインリモコンＲ１の湯はりスイッチ３２、あるいは、風呂リモコンＲ２の湯はりスイッチ３５がＯＮ操作されると、湯張りモードとなり湯張り運転を実行する（ステップ３，４）。
つまり、湯張り弁１７を開弁させ、上述の一般給湯モードと同様に、通水量センサ５による検出水量と入水温サーミスタ６による検出水温に基づいて、風呂リモコンＲ１の温度設定スイッチ４０による設定温度から必要なガス量を演算し、電磁式比例弁２６の開度などを調整し、ミキシングサーミスタ１５による検出温度が設定温度になるように、電磁式比例弁２６の開度などを微調整して、浴槽８内に設定温度の湯水を、通水量センサ５の積算水量が湯張り用設定湯量になるまで供給する。
なお、この湯張りモード中に、給湯栓１１が開操作されると、割込みセンサ１６の検出に基づいて湯張り弁１７を閉弁して、上述の一般給湯が実行され、一般給湯終了後に湯張りが再開される。
【００３１】
また、メインリモコンＲ１の運転スイッチ３１か、風呂リモコンＲ２の運転スイッチ３４がＯＮされている状態において、風呂リモコンＲ２のたし湯スイッチ３６がＯＮ操作されると、たし湯モードとなりたし湯運転を実行する（ステップ５，６）。
つまり、上述の気液判別制御を行い、浴槽８内に所定水位の湯水が存在するときのみ、湯張り弁１７を開弁させ、上述の一般給湯モードと同様に、通水量センサ５による検出水量と入水温サーミスタ６による検出水温に基づいて、メインリモコンＲ１の温度設定スイッチ３３による設定温度から必要なガス量を演算し、電磁式比例弁２６の開度などを調整し、ミキシングサーミスタ１５による検出温度が設定温度になるように、電磁式比例弁２６の開度などを微調整して、浴槽８内に設定温度の湯水を、通水量センサ５の積算水量がたし湯用設定湯量（例えば、２０リットル）になるまで供給する。
なお、このたし湯モード中に、給湯栓１１が開操作されると、割込みセンサ１６の検出に基づいて湯張り弁１７を閉弁して、上述の一般給湯が実行され、一般給湯終了後にたし湯運転が再開される。
【００３２】
また、メインリモコンＲ１の運転スイッチ３１か、風呂リモコンＲ２の運転スイッチ３４がＯＮされている状態において、風呂リモコンＲ２のあつくスイッチ３８がＯＮ操作されると、あつくモードとなりあつく運転を実行する（ステップ７，８）。
つまり、上述の気液判別制御を行い、浴槽８内に所定水位の湯水が存在するときのみ、追焚き弁２２を開弁させ、給湯温サーミスタ７による検出温度が９０℃程度になるように、通水量センサ５による検出水量と入水温サーミスタ６による検出水温に基づいて必要なガス量を演算し、電磁式比例弁２６の開度を調整してファン３０の回転数も調整し、給湯温サーミスタ７による検出温度に基づいて電磁式比例弁２６の開度を微調整する。そして、浴槽８内に９０℃の湯を給湯し、浴槽温サーミスタ２３の検出温度が風呂リモコンＲ２の温度設定スイッチ４０により湯張り設定温度になると、浴槽８内へのたし湯を停止する。
なお、このあつくモード中に、給湯栓１１が開操作されると、割込みセンサ１６の検出に基づいて湯張り弁１７を閉弁して、上述の一般給湯が実行され、一般給湯終了後にあつく運転が再開される。
【００３３】
また、メインリモコンＲ１の運転スイッチ３１か、風呂リモコンＲ２の運転スイッチ３４がＯＮされている状態において、風呂リモコンＲ２のぬるくスイッチ３７がＯＮ操作されると、ぬるくモードとなりぬるく運転を実行する（ステップ９，１０）。
つまり、上述の気液判別制御を行い、浴槽８内に所定水位の湯水が存在するときのみ、追焚き弁２２を開弁させ、給水路１からの水を熱交換器３により加熱することなく浴槽８内に水を供給する。そして、通水量センサ５の積算水量が１０リットルになると、浴槽８内への水の供給を停止する。
なお、このぬるくモード中に、給湯栓１１が開操作されると、割込みセンサ１６の検出に基づいて湯張り弁１７を閉弁して、上述の一般給湯が実行され、一般給湯終了後にぬるく運転が再開される。
【００３４】
また、メインリモコンＲ１の運転スイッチ３１がＯＮされている状態において、風呂リモコンＲ２の保温スイッチ３９がＯＮ操作されると、保温モードとなり適温キープ運転を実行する（ステップ１１，１２）。
図５のフローチャートに基づいて説明すると、まず、保温スイッチ３９がＯＮ操作されてから保温用設定時間（例えば、４時間）内で、かつ、浴槽８内の湯水の不存在が連続して設定回数（例えば、３回）以上検出されていない保温可能な状態において、前回の気液判別制御を実行してから気液判別用設定時間（例えば、１分間）が経過している気液判別制御が実行可能なタイミングであれば、浴槽温サーミスタ２３の自己加熱制御を実行する（ステップ２１〜２３）。
【００３５】
つまり、温度検出部１００によりそのときの検出温度を初期温度Ｔｏとして設定するとともに、その初期温度Ｔｏに４０℃を加算した温度を加熱目標温度Ｔｓとして設定する。そして、加熱目標温度Ｔｓでの保持時間ｔｓ（設定時間）を設定し、前記設定経過時間を計時するための検出用タイマーをリセットする。
【００３６】
次に、前記温度検出部１００による検出値Ｔｘが加熱目標温度Ｔｓに上昇するまで、電力供給部２０２による浴槽温サーミスタ２３に対する設定量の加熱用電力の供給が行われる。そして、温度検出値Ｔｘが加熱目標温度Ｔｓを越えると、その時点から保持時間ｔｓが経過するまでの間、温度検出部１００の検出値Ｔｘが加熱目標温度Ｔｓに維持されるように、電力供給部２０２の供給電力量を調整する定温加熱制御を実行して、前記保持時間ｔｓが経過し、かつ、温度検出値Ｔｘが加熱目標温度Ｔｓを越えていれば、浴槽温サーミスタ２３に対する加熱を停止する。
【００３７】
このようにして、浴槽温サーミスタ２３の自己加熱制御が完了すると、放熱によって浴槽温サーミスタ２３の個体温度が低下し始めて温度検出部１００の検出値Ｔｘが加熱目標温度Ｔｓ以下になった時点から検出用タイマーによるカウントを開始し、検出用タイマーがカウントアップして設定経過時間ｔｍが経過した時に、温度検出部１００の検出値Ｔｘが初期温度Ｔｏよりも３℃高い閾値温度Ｔｓｈ以下であれば「湯水あり」と判別し、温度検出部１００の検出値Ｔｘが初期温度Ｔｏよりも３℃高い閾値温度Ｔｓｈ以上であれば「湯水なし」と判別する（ステップ２４，２５）。また、温度検出部１００の検出値Ｔｘが閾値温度Ｔｓｈに達する時間が、設定経過時間ｔｍよりも短い場合にも、「湯水あり」と判別する。
【００３８】
つまり、図６に示すように、浴槽８内に所定水位の湯水が存在していれば、浴槽温サーミスタ２３の放熱量が大になり、前記閾値温度Ｔｓｈよりも低い温度にまで低下するが、浴槽８内に所定水位の湯水が存在せず、空気だけであれば放熱量が少なく、前記閾値温度Ｔｓｈよりも高い温度になるのである。
【００３９】
そして、「湯水なし」と判別されると、その湯水の不存在の検出をカウントし（ステップ２６）、「湯水あり」と判別され、浴槽温サーミスタ２３の検出温度が追焚き開始用設定温度以下になっていると、追焚き制御を実行する（ステップ２７，２８）。
つまり、追焚き弁２２を開弁させ、給湯温サーミスタ７による検出温度が９０℃程度になるように、通水量センサ５による検出水量と入水温サーミスタ６による検出水温に基づいて必要なガス量を演算し、電磁式比例弁２６の開度を調整してファン３０の回転数も調整し、給湯温サーミスタ７による検出温度に基づいて電磁式比例弁２６の開度を微調整する。そして、浴槽８内に９０℃の湯を給湯し、浴槽温サーミスタ２３の検出温度が風呂リモコンＲ２の温度設定スイッチ４０により湯張り設定温度になると、浴槽８内への給湯を停止する。
なお、この保温モード中に、ぬるくスイッチ３７、あるいは、あつくスイッチ３８がＯＮ操作されると、上述のぬるく運転、あるいは、あつく運転を優先して実行するようにしている。
【００４２】
〔別実施形態〕
上記実施形態では、浴槽温サーミスタ２３が温度検出手段と湯水検出手段とを兼用するようにしているが、それぞれ別々に設けてもよい。
また、浴槽８内に所定水位の湯水が存在するか否かを検出する際に、上記実施形態のように、浴槽温サーミスタ２３を設定温度まで上昇させて、設定時間が経過する間、その設定温度に維持した後に電力供給を停止した後において、時間経過に伴う変化状態に基づいて検出するようにしているが、浴槽温サーミスタ２３を設定温度まで加熱する際の温度の上昇速度などに基づいて検出してもよく、浴槽８内に所定水位の湯水が存在するか否かを検出できるものであればよい。
【図面の簡単な説明】
【図１】風呂用給湯装置の概略構成図
【図２】風呂リモコンの構成図
【図３】制御部の回路図
【図４】制御部の制御動作を示すフローチャート
【図５】制御部の制御動作を示すフローチャート
【図６】温度計測状態を示す計測データ
【符号の説明】
１              給水路
３              熱交換器
４              バーナ
８              浴槽
２３            温度検出手段
２３            湯水検出手段
３９            適温指令手段
４０            温度設定手段
Ａ              給湯器
Ｈ              給湯制御手段
【図１】
0003841552.tif 000002
【図２】
0003841552.tif 000003
【図３】
0003841552.tif 000004
【図４】
0003841552.tif 000005
【図５】
0003841552.tif 000006
【図６】
0003841552.tif 000007